(57)【要約】【課題】デコレーションを施したネイルアートを誰でも手軽に楽しむことができるように、ユーザにパーツの配置情報を提供することのできるネイルプリント装置及びネイルプリント装置の印刷方法を提供する。【解決手段】印刷指Ｕ１の爪Ｔに印刷を施す印刷ヘッド４６と、印刷ヘッド４６により、爪Ｔの上に配置される装飾用のパーツの配置情報を印刷させる印刷制御部５１５と、を備えている。【選択図】図１１
2014117455.tif 000002
【特許請求の範囲】
【請求項１】
指の爪に印刷を施す印刷ヘッドと、
前記印刷ヘッドにより、前記爪の上に配置される装飾用のパーツの配置情報を印刷させる印刷制御部と、
を備えていることを特徴とするネイルプリント装置。
【請求項２】
前記指の爪を撮影して爪画像を得る撮像装置と、
前記撮像装置によって取得された前記爪画像に基づいて、爪の形状、爪の位置、爪の曲率のうち、少なくともいずれか１つを爪情報として検出する爪情報検出部と、
をさらに備え、
前記印刷制御部は、前記爪情報検出部により検出された前記爪情報に基づいて、前記印刷ヘッドにより前記指の爪に印刷させることを特徴とする請求項１に記載のネイルプリント装置。
【請求項３】
前記パーツの配置情報は、前記パーツの位置情報の他、前記パーツのサイズ情報及び前記パーツの色情報のうち少なくともいずれか１つを含んでいることを特徴とする請求項１又は請求項２に記載のネイルプリント装置。
【請求項４】
前記印刷制御部は、前記印刷ヘッドにより、前記爪における前記パーツの配置予定位置に、前記パーツに対応する画像を前記パーツの色と同様の色で印刷させることができることを特徴とする請求項１から請求項３のいずれか一項に記載のネイルプリント装置。
【請求項５】
指の爪に印刷を施す印刷ヘッドにより、前記爪の上に配置される装飾用のパーツの配置情報を印刷させることを特徴とするネイルプリント装置の印刷方法。
【請求項６】
撮像装置により前記指の爪を撮影して爪画像を取得し、
前記爪画像に基づいて、爪の形状、爪の位置、爪の曲率のうち、少なくともいずれか１つを爪情報として検出し、
前記爪情報に基づいて、前記印刷ヘッドにより前記指の爪に印刷させることを特徴とする請求項５に記載のネイルプリント装置の印刷方法。
【請求項７】
前記パーツの配置情報は、前記パーツの位置情報の他、前記パーツのサイズ情報及び前記パーツの色情報のうち、少なくともいずれか１つを含んでいることを特徴とする請求項５又は請求項６に記載のネイルプリント装置の印刷方法。
【請求項８】
前記印刷ヘッドにより、前記爪における前記パーツの配置予定位置に、前記パーツに対応する画像を前記パーツの色と同様の色で印刷させることができることを特徴とする請求項５から請求項７のいずれか一項に記載のネイルプリント装置の印刷方法。
【発明の詳細な説明】
【技術分野】
【０００１】
本発明は、ネイルプリント装置及びネイルプリント装置の印刷方法に関するものである。
【背景技術】
【０００２】
従来、人の指の爪部の表面に色や絵柄等のデザイン画像を印刷する印刷装置であるネイルプリント装置が知られている（例えば、特許文献１参照）。
このような装置を用いれば、ネイルサロン等を利用することなく、簡易にネイルアートを楽しむことができる。
【先行技術文献】
【特許文献】
【０００３】
【特許文献１】特表２００３−５３４０８３号公報
【発明の概要】
【発明が解決しようとする課題】
【０００４】
ところで、ネイルサロン等で施されるネイルアートでは、ベースカラーを塗布したり、各種の絵柄等を描いたりした後に、ラインストーン等の装飾用のパーツを貼り付けてデコレーションを施すことも行われている。
この点、従来のネイルプリント装置には、ラインストーン等の装飾用のパーツの貼り付け位置や当該デザインにあったパーツの種類に関する情報を提供する機能がないため、ネイルサロンで施されるようなデコレーションをしたい場合には、ネイルプリント後に、ユーザが自分でパーツの配置等を考え、貼り付けを行わなければならない。しかし、このようなデコレーションをユーザが自分で施そうとしても、パーツを貼り付ける位置が分からなかったり、どのようなパーツを選択して貼り付ければよいかが判断できない場合がある。
また、写真等の見本を見ながらネイルアートを再現しようとする場合でも、従来は見本と見比べながら自爪にパーツを配置していくしかなかったが、何の目印もない爪に対して見本と同じ位置にラインストーン等の装飾用のパーツを貼り付けるのは困難である。
このため、デコレーションを施したネイルアートを手軽に楽しむことが難しいという問題があった。
【０００５】
本発明は以上のような事情に鑑みてなされたものであり、デコレーションを施したネイルアートを誰でも手軽に楽しむことができるように、ユーザにパーツの配置情報を提供することのできるネイルプリント装置及びネイルプリント装置の印刷方法を提供することを目的とするものである。
【課題を解決するための手段】
【０００６】
前記課題を解決するために、本発明のネイルプリント装置は、
指の爪に印刷を施す印刷ヘッドと、
前記印刷ヘッドにより、前記爪の上に配置される装飾用のパーツの配置情報を印刷させる印刷制御部と、
を備えていることを特徴としている。
【０００７】
また、本発明のネイルプリント装置の印刷方法は、
指の爪に印刷を施す印刷ヘッドにより、前記爪の上に配置される装飾用のパーツの配置情報を印刷させることを特徴としている。
【発明の効果】
【０００８】
本発明によれば、爪の上に配置される装飾用のパーツの配置情報を印刷することができるため、ユーザが、デザインにあったパーツの貼り付け位置等に迷うことがなく、デコレーションを施したネイルアートを誰でも手軽に楽しむことができるとの効果を奏する。
【図面の簡単な説明】
【０００９】
【図１】本実施形態におけるネイルプリント装置の外観例を示す斜視図で、蓋体を開いた状態を示している。
【図２】図１のネイルプリント装置の内部構成を示す斜視図である。
【図３】図１のネイルプリント装置の印刷指固定手段を示した断面図で、印刷指として人差し指から小指を印刷指挿入部に挿入した際の固定態様を示している。
【図４】図１のネイルプリント装置の正面側の断面図である。
【図５】図１のネイルプリント装置の側断面図である。
【図６】印刷指挿入部に挿入された指と撮影部、印刷部との関係を模式的に示す要部断面図である。
【図７】本実施形態に係るネイルプリント装置の制御構成を示した要部ブロック図である。
【図８】ネイルデザイン記憶領域の構成例を示す図である。
【図９】本実施形態における印刷制御処理を示すフローチャートである。
【図１０】（ａ）は、通常モードで印刷する場合の印刷データの構成例と爪に印刷された状態を示す説明図であり、（ｂ）は、パーツ縮小印刷モードで印刷する場合の印刷データの構成例と爪に印刷された状態を示す説明図であり、（ｃ）は、位置目安＋サイズ情報印刷モードで印刷する場合の印刷データの構成例と爪に印刷された状態を示す説明図であり、（ｄ）は、位置目安印刷モードで印刷する場合の印刷データの構成例と爪に印刷された状態を示す説明図である。
【図１１】（ａ）は、位置目安印刷モードで印刷後の爪の状態を示した図であり、（ｂ）は、（ａ）に示した爪に装飾用のパーツを貼り付けた状態を示す爪の平面図であり、（ｃ）は、（ｂ）に示した爪を爪の先端側から見た図である。
【図１２】本実施形態の一変形例を示す図であり、（ａ）は、位置目安＋サイズ情報印刷モードで印刷後の爪の状態を示した図であり、（ｂ）は、（ａ）に示した爪に装飾用のパーツを貼り付けた状態を示す爪の平面図であり、（ｃ）は、（ｂ）に示した爪を爪の先端側から見た図である。
【発明を実施するための形態】
【００１０】
図１から図１１を参照しつつ、本発明に係るネイルプリント装置の一実施形態について説明する。なお、以下に述べる実施形態には、本発明を実施するために技術的に好ましい種々の限定が付されているが、本発明の範囲を以下の実施形態及び図示例に限定するものではない。
【００１１】
図１は、本実施形態におけるネイルプリント装置の外観を示す斜視図であり、図２は、ネイルプリント装置の内部構成を示す斜視図である。
本実施形態のネイルプリント装置１は、後述するように、装飾用のパーツ（例えば、図１１（ｂ）及び図１１（ｃ）のパーツｐ１〜ｐ６）の配置情報を含んだ印刷を行うことが可能に構成されたものである。
ここで、「装飾用のパーツ」とは、ネイルプリント装置１による爪Ｔへの印刷処理後にユーザが爪Ｔの上に貼り付けて爪Ｔをデコレーションするためのパーツであり、例えば、ラインストーンや、貴石、半貴石等の天然石、シール、ビーズ、スワロフスキー社製等のクリスタルガラス等を適用することができる。なお、装飾用のパーツはここに例示したものに限定されない。
【００１２】
図１に示すように、このネイルプリント装置１は、ケース本体２及び蓋体４を備えている。蓋体４は、ケース本体２の上面（天板）の後端部に設けたヒンジ３を介して、ケース本体２に回動可能に連結されている。蓋体４は、ヒンジ３を支点として、ケース本体２の天板に重ねられた状態からケース本体２の天板に対して立てられた状態（図１参照）まで回動可能となっている。
【００１３】
上記ケース本体２は上方から平面視した場合にほぼ長円状に形成されている。このケース本体２の前側には開閉板２ｃが起倒可能に設けられている。この開閉板２ｃは、ケース本体２の前面下端部に設けられたヒンジ（図示せず）を介して、ケース本体２に連結されている。この開閉板２ｃは、ケース本体２の前面を開閉するためのものである。
なお、ケース本体２及び蓋体４の形状、構成はここに例示したものに限定されない。
【００１４】
ケース本体２の上面（天板）には操作部１２が設置されている。
操作部１２は、ユーザが各種入力を行うものである。
操作部１２には、例えば、ネイルプリント装置１の電源をＯＮする電源スイッチ釦、動作を停止させる停止スイッチ釦、爪Ｔに印刷するネイルデザイン（図８等参照）を選択するデザイン選択釦、印刷開始を指示する印刷開始釦、その他各種の入力を行うための操作釦１２１が配置されている。
本実施形態では、例えば表示部１３にネイルデザインを選択するための図示しないデザイン選択画面が表示されるようになっており、ユーザが所望のネイルデザインを操作釦１２１によって選択することにより、印刷されるネイルデザインが選択される。
また、本実施形態では、後述するように、印刷モードとして、ネイルデザイン自体を印刷する「通常モード」の他に、装飾用のパーツ（例えば、図１１（ｂ）及び図１１（ｃ）のパーツｐ１〜ｐ６）の配置情報を含んだ印刷を行うことができる「貼り付け目安モード」を選択可能となっており、ユーザは操作釦１２１を操作することで、いずれか所望の印刷モードを選択することができるようになっている。
また、本実施形態では、装飾用のパーツの配置情報を含んだ印刷を行う印刷モードが選択された場合には、操作釦１２１を操作することで、装飾用のパーツに対応する部分の色をユーザが設定することができるようになっている。
【００１５】
また、ケース本体２の上面（天板）のほぼ中央部には表示部１３が設置されている。
表示部１３は、例えば液晶ディスプレイ（ＬＣＤ：Liquid Crystal Display）、有機エレクトロルミネッセンスディスプレイその他のフラットディスプレイ等で構成されている。本実施形態において、この表示部１３には、例えば、印刷指Ｕ１を撮影した画像（以下「指画像」という。）、この指画像中に含まれる爪画像（爪Ｔの輪郭線等の画像）、爪Ｔに印刷すべき画像（すなわち、図８等における「ネイルデザイン」）を選択するためのデザイン選択画面、デザイン確認用のサムネイル画像、各種の指示を表示させる指示画面等が適宜に表示される。
なお、表示部１３の表面にタッチパネルが一体的に構成されていてもよい。この場合には、例えば、先の尖った棒状の筆記具様であってタッチパネル表面に押し当てることにより筆記する図示しないスタイラスペンや、指先等によって表示部１３の表面をタッチするタッチ操作によっても各種の入力を行うことができるように構成される。この場合には、表示部１３のタッチパネルも各種入力を行う操作部として機能する。
【００１６】
また、ケース本体２にはネイルプリント装置１の装置本体１０が収容されている。この装置本体１０は、図２に示す印刷指固定部２０、撮影部３０、印刷部４０及び制御装置５０（図７参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１７】
印刷指固定部２０は、機枠１１の中の下部機枠１１ａに設けられている。すなわち、下部機枠１１ａには、印刷指挿入部２０ａ、非印刷指挿入部２０ｂ及び掴み部２０ｃが設けられており、これらによって印刷指固定部２０が構成されている。
ここで、印刷指挿入部２０ａは、印刷対象である爪Ｔに対応する指（以下「印刷指Ｕ１」という）を挿入するめための指挿入部である（図３参照）。
印刷指挿入部２０ａの底面（本実施形態では掴み部２０ｃの上面）は、印刷指Ｕ１を載置する指載置部（印刷指載置面）として機能する。印刷指Ｕ１の撮影や印刷等は、印刷指Ｕ１がこの指載置部としての印刷指挿入部２０ａの印刷指載置面（掴み部２０ｃの上面）に載置された状態で行われる。
また、非印刷指挿入部２０ｂは、印刷指以外の指（以下「非印刷指Ｕ２」という。）を挿入するための指挿入部である。
【００１８】
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁によって構成されている。
なお、この掴み部２０ｃの指挿入側端部は、印刷指Ｕ１の腹全体が印刷指載置面に当接した状態で、印刷指Ｕ１と非印刷指Ｕ２とで掴み部２０ｃ（隔壁）を強く挟持することができるように、指挿入側端部の断面が、円形や楕円形、多角形等、印刷指Ｕ１及び非印刷指Ｕ２の付け根Ｕ３が突き当てられた際に自然に馴染む形状となっていることが好ましい。
例えば、左手の親指以外の４本の指（人差し指、中指、薬指及び小指）が印刷指Ｕ１となる場合には、図３に示すように、ユーザは４本の印刷指Ｕ１（人差し指、中指、薬指及び小指）を印刷指挿入部２０ａに挿入し、非印刷指Ｕ２である親指を非印刷指挿入部２０ｂに挿入する。この場合、ユーザが印刷指Ｕ１と非印刷指Ｕ２とで掴み部２０ｃを挟持することにより、印刷指Ｕ１が掴み部２０ｃの上で固定される。
【００１９】
また、図４は、本実施形態に係るネイルプリント装置１の正面側の断面図であり、図５は、ネイルプリント装置１の側断面図である。また、図６は、印刷指挿入部２０ａに載置された印刷指Ｕ１と、撮影部３０、印刷部４０との位置関係を模式的に示す要部断面図である。
図４及び図５に示すように、撮影部３０は、機枠１１の中の上部機枠１１ｂに設けられている。
すなわち、上部機枠１１ｂには基板３１が設置されており、この基板３１の中央部下面には、撮像装置としてのカメラ３２が設置されている。カメラ３２は、例えばドライバーを内蔵した２００万画素程度以上の画素を有するものであることが好ましい。
カメラ３２は、印刷指挿入部２０ａ内に挿入されている印刷指Ｕ１の爪Ｔを撮影して、印刷指Ｕ１の爪Ｔの画像である爪画像（爪画像を含む指画像）を得るものである。
また、基板３１には、カメラ３２を囲むように白色ＬＥＤ等の照明灯３３が設置されている。照明灯３３は、カメラ３２による撮影の際に、印刷指Ｕ１の爪Ｔを照明するものである。撮影部３０は、このカメラ３２及び照明灯３３を備えて構成されている。
本実施形態では、撮像装置としてのカメラ３２によって取得された爪画像に基づいて、後述する爪情報検出部５１２が、爪Ｔの形状、爪Ｔの位置、爪Ｔの曲率のうち、少なくともいずれか１つを爪情報として検出するようになっている。
この撮影部３０は、後述する制御装置５０の撮影制御部５１１（図７参照）に接続され、該撮影制御部５１１によって制御されるようになっている。
撮影部３０によって撮影された画像の画像データは、後述する記憶部５２の爪画像記憶領域５２１に記憶される。
【００２０】
また、印刷部４０は、主に上部機枠１１ｂに設けられている。すなわち、図４及び図５に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、印刷対象の被印刷面に対し直接に吹き付けて印刷を行うインクジェット方式の印刷ヘッドである。なお、印刷ヘッド４６の記録方式はインクジェット方式に限定されない。
【００２１】
本実施形態において、印刷部４０には、例えば、イエロー（Ｙ；YELLOW）、マゼンタ（Ｍ；MAGENTA）、シアン（Ｃ；CYAN）のインクに対応する印刷ヘッド４６が設けられている。各印刷ヘッド４６は、それぞれの色のインクを噴射する複数のノズルからなるノズルアレイを備えている。なお、印刷部４０に設けられる印刷ヘッド４６はこの３色のインクを吐出させるものに限定されない。その他の色のインクを吐出させる印刷ヘッド４６をさらに備えていてもよい。
印刷ヘッド４６は、印刷指Ｕ１の爪Ｔの表面に画像（ネイルデザイン）を印刷するものである。印刷ヘッド４６は、後述する爪情報検出部５１２により検出された爪情報に基づいて、印刷指Ｕ１の爪Ｔに印刷を施すようになっている。また、本実施形態では、前述の通り、印刷モードとして、ネイルデザイン自体を印刷する「通常モード」の他に、装飾用のパーツの配置情報を含んだ印刷を行うことができる「貼り付け目安モード」を選択可能となっており、後者の「貼り付け目安モード」が選択されたときは、印刷ヘッド４６は、後述するように、爪Ｔの上に配置される装飾用のパーツの配置情報を印刷する。
下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２２】
主キャリッジ４２は動力伝達部（図示せず）を介してモータ４３に連結され、モータ４３の正逆回転によって、ガイドロッド４１に沿ってネイルプリント装置１の左右方向（図４における左右方向）に移動するように構成されている。また、副キャリッジ４５は動力伝達部（図示せず）を介してモータ４７に連結され、モータ４７の正逆回転によって、ガイドロッド４４に沿ってネイルプリント装置１の前後方向（図５において左右方向）に移動するように構成されている。
【００２３】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の印刷制御部５１５に接続され、該印刷制御部５１５によって制御されるようになっている。
【００２４】
また、制御装置５０は、例えば上部機枠１１ｂに配置された基板３１等に設置されている。図７は、本実施形態における制御構成を示す要部ブロック図である。
制御装置５０は、図７に示すように、図示しないＣＰＵ（Central Processing Unit）等によって構成されている制御部５１と、ＲＯＭ（Read Only Memory）及びＲＡＭ（Random Access Memory）等で構成されている記憶部５２とを備えるコンピュータである。
【００２５】
記憶部５２には、ネイルプリント装置１を動作させるための各種プログラムや各種データ等が格納されている。
具体的には、記憶部５２には、例えば、印刷モードに合った印刷データを生成するための印刷データ生成プログラム、爪Ｔの爪情報を検出するための爪情報検出プログラム、印刷処理を行うための印刷プログラム等の各種プログラムが格納されており、制御装置５０はこれらのプログラムを実行してネイルプリント装置１の各部を制御するようになっている。
また、本実施形態において記憶部５２には、撮影部３０によって取得されたユーザの印刷指Ｕ１の爪Ｔの爪画像を記憶する爪画像記憶領域５２１、及び爪Ｔに印刷されるネイルデザインの画像データＮＤを記憶するネイルデザイン記憶領域５２２が設けられている。
【００２６】
図８は、本実施形態におけるネイルデザイン記憶領域５２２の構成例を示す図である。
図８に示すように、ネイルデザイン記憶領域５２２には、各ネイルデザイン（図８では、ネイルデザインＡ〜ｎを例示）毎に、ネイルデザインの画像データＮＤが格納されており、各ネイルデザインの画像データＮＤは、完成イメージデータｄ１、ベースデザインデータｄ２、パーツ位置データｄ３、パーツデザインデータｄ４を含んでいる。
なお、ネイルデザインの画像データＮＤは、全ての指に共通のものでもよいが、指の種類毎に用意されていることが好ましい。一般に指の種類毎に爪の大きさが異なるため、例えば比較的大きい爪である親指の爪用には多くの装飾用のパーツが配置されるネイルデザインの画像データＮＤが用意され、比較的小さい爪である小指の爪用には配置される装飾用のパーツが少ないネイルデザインの画像データＮＤが用意されていれば、各指の爪にバランスのよいネイルデザインを施すことができる。また、このように指の種類ごとにネイルデザインが用意される場合、親指から小指までの爪に統一感のあるネイルデザインを施すことができるように、親指から小指までの爪用に互いに関連するネイルデザインの画像データＮＤがネイルデザイン記憶領域５２２にセットとして用意されていてもよい。また、大きな爪用のネイルデザイン、小さな爪用のネイルデザインというように、ネイルデザインの画像データＮＤをサイズ種類別にネイルデザイン記憶領域５２２に記憶させておき、ユーザが自分の各指の爪の大きさに合ったものを自由に選択して組み合わせられるようにしてもよい。
【００２７】
図８では、ネイルデザインＡについて、完成イメージデータｄ１、ベースデザインデータｄ２、パーツ位置データｄ３、パーツデザインデータｄ４の具体例を図示している。
図８に示すように、完成イメージデータｄ１は、ネイルデザインＡが爪Ｔに施された場合の完成イメージを示すデータであり、ネイルデザインＡにおいて爪Ｔの上に貼り付けることが予定されている装飾用のパーツのイメージ画像を含むデータである。完成イメージデータｄ１は、例えば、表示部１３にデザイン確認画面を表示させる際に用いられる。また、本実施形態では、完成イメージデータｄ１は、ネイルデザインＡを構成する装飾用のパーツのサイズ情報であるパーツサイズデータｄ１−１（図１０（ｃ）参照）を含んでいる。なお、完成イメージデータｄ１は、装飾用のパーツの色情報、形状情報等を含んでいてもよい。
ベースデザインデータｄ２は、ネイルデザインＡの背景デザインのデータである。
パーツ位置データｄ３は、ネイルデザインＡの背景デザインの上に貼り付けることが予定されている装飾用のパーツの位置情報を示すデータである。パーツ位置データｄ３は、例えば、爪Ｔがｘ，ｙ平面上に配置された場合における各装飾用のパーツの位置を特定するｘ，ｙ座標で構成されている。なお、パーツ位置データｄ３は、各装飾用のパーツの位置を特定することができるものであればよく、そのデータ形式は特に限定されない。
パーツデザインデータｄ４は、当該ネイルデザインＡにおいて爪Ｔの上に貼り付けることが予定されている各装飾用のパーツを示すイメージ画像のデータであり、各装飾用のパーツの形状情報等を含むデータである。また、パーツデザインデータｄ４は、ネイルデザインＡを構成する装飾用のパーツの色情報であるパーツ色データｄ４−１（図１０（ｃ）等参照）を含んでいる。なお、各装飾用のパーツのサイズ情報等がパーツデザインデータｄ４に含まれていてもよい。
【００２８】
制御部５１は、機能的に見た場合、撮影制御部５１１、爪情報検出部５１２、印刷データ生成部５１３、表示制御部５１４、印刷制御部５１５等の機能部を含んでいる。これら撮影制御部５１１、爪情報検出部５１２、印刷データ生成部５１３、表示制御部５１４、印刷制御部５１５等としての機能は、制御部５１のＣＰＵと記憶部５２のＲＯＭ等に記憶されたプログラムとの共働によって実現される。なお、制御部５１に含まれる機能部はここに挙げたものに限定されない。
【００２９】
撮影制御部５１１は、撮影部３０を制御してユーザの印刷指Ｕ１を撮影させ、爪Ｔの爪画像（爪画像を含む指画像）を取得させるものである。
撮影部３０によって取得された爪画像は、記憶部５２の爪画像記憶領域５２１に記憶される。
【００３０】
爪情報検出部５１２は、撮像装置であるカメラ３２によって取得された爪画像に基づいて、印刷指Ｕ１の爪Ｔについての爪情報を検出するものである。
ここで、爪情報とは、爪Ｔの輪郭（爪形状）、爪Ｔの高さ（爪Ｔの垂直方向の位置）、爪Ｔの曲率（爪曲率）であり、爪情報検出部５１２は、これら爪形状、爪高さ、爪曲率のうち、少なくともいずれか１つを爪情報として検出する。本実施形態では、爪情報検出部５１２は、爪画像に基づいて爪Ｔの輪郭（爪形状）を検出するようになっている。
具体的には、爪情報検出部５１２は、カメラ３２により取得された印刷指Ｕ１の爪Ｔの爪画像を含む指画像から、爪Ｔの輪郭（形状）や位置を検出し、この輪郭をｘ，ｙ座標等で表される情報として取得する。爪情報検出部５１２が爪Ｔの輪郭（形状）を検出する手法は特に限定されないが、例えば、爪情報検出部５１２は、カメラ３２により取得された印刷指Ｕ１の爪Ｔの爪画像を含む指画像から爪Ｔとそれ以外の指部分との色の違い等に基づいて爪Ｔの輪郭（形状）を検出するものである。なお、爪情報検出部５１２が爪Ｔの輪郭（形状）を検出する手法は特に限定されず、ここに挙げたものに限られない。
なお、爪高さ、爪曲率についても爪情報検出部５１２が検出するとした場合には、爪Ｔの高さ方向の形状も考慮して印刷を行うことができ、より高精度の印刷を実現することができる。
【００３１】
また、印刷データ生成部５１３は、ユーザが操作部１２等を操作することによって選択された印刷モードに応じた印刷データを生成する。
本実施形態では、前述のように、印刷モードとして、ネイルデザイン自体を印刷する「通常モード」の他に、装飾用のパーツの配置情報を含んだ印刷を行うことができる「貼り付け目安モード」を選択可能となっている。ここで、パーツの配置情報は、パーツの貼り付け位置の目安を示す位置情報の他、パーツのサイズ情報及びパーツの色情報のうち、少なくともいずれか１つを含むものである。
本実施形態では、「貼り付け目安モード」として、「パーツ縮小印刷モード」「位置目安＋サイズ印刷モード」「位置目安印刷モード」が選択可能となっている。
【００３２】
図１０（ａ）は、図８に示すネイルデザインＡについて、「通常モード」による印刷が選択された場合に、印刷データ生成部５１３によって生成される印刷データの例と、当該印刷データに基づいて爪Ｔに印刷が施された例を示している。図１０（ａ）に示すように、「通常モード」の場合には、印刷データ生成部５１３は、ネイルデザインの画像データＮＤのうち、ベースデザインデータｄ２、パーツ位置データｄ３、パーツデザインデータｄ４を抽出し、これらに基づいて印刷データを生成する。
この場合には、印刷ヘッド４６により、爪Ｔにおけるパーツの配置予定位置に、当該パーツに対応する画像（例えば、赤色や銀色のラインストーン等の画像等、各パーツを表す画像）がパーツの色と同様の色で印刷される。すなわち、印刷データ生成部５１３は、パーツデザインデータｄ４に基づく各装飾用パーツの画像が、パーツデザインデータｄ４に含まれるパーツ色データｄ４−１に基づく色通りに印刷されるように、印刷データを生成する。また、各装飾用パーツのサイズや形状についても、完成イメージデータｄ１に含まれるパーツサイズデータｄ１−１やパーツデザインデータｄ４に含まれるデータに基づいて印刷されるようになっている。これにより、「通常モード」の場合には、図１０（ａ）の矢印右側に示すように、ネイルデザインＡが実際に爪Ｔに施された場合の完成イメージと同様、あとから装飾用のパーツを貼り付けなくてもネイルアートとして見栄えのする画像が爪Ｔに印刷される。また、「通常モード」で印刷した後に装飾用のパーツを貼り付けた場合には、仮に装飾用のパーツが剥がれ落ちても目立たず、ネイルデザインを楽しむことができる。
なお、ネイルデザイン記憶領域５２２に記憶されているネイルデザインの画像データＮＤとしては、装飾用のパーツの貼り付けを予定しないデザインのものが含まれていてもよく、この場合には、自動的に「通常モード」による印刷が選択されるようにする。
【００３３】
図１０（ｂ）は、図８に示すネイルデザインＡについて、「パーツ縮小印刷モード」による印刷が選択された場合に、印刷データ生成部５１３によって生成される印刷データの例と、当該印刷データに基づいて爪Ｔに印刷が施された例を示している。図１０（ｂ）に示すように、「パーツ縮小印刷モード」の場合には、「通常モード」が選択された場合と同様に、印刷データ生成部５１３は、ネイルデザインの画像データＮＤのうち、ベースデザインデータｄ２、パーツ位置データｄ３、パーツデザインデータｄ４を抽出した上で、パーツデザインデータｄ４のみを縮小し、これらのデータに基づいて印刷データを生成する。
なお、パーツデザインデータｄ４を縮小する場合には、パーツデザインデータｄ４に含まれる個々の装飾用のパーツを示すイメージ画像について、元々のパーツの中心位置を動かさずに、それぞれその径のみを縮小する。なお、全ての装飾用のパーツを示すイメージ画像について一律に縮小してしまうと元々小さいパーツの視認性が確保できなくなるため、最小で何ｍｍまで縮小可とするかの所定の設定値を予め定めておき、縮小するとそれ以下の大きさになってしまうものは一律にこの所定の設定値で印刷するようにする。また、縮小すると所定の設定値以下になってしまうものについては何も印刷しないようにしてもよい。または、貼り付けが予定される装飾用のパーツのサイズ（面積、径、その他の大きさを示す値）が所定の数値以下の場合は、縮小せずに予め定められた大きさのまま印刷するようにしてもよい。縮小すると所定の設定値以下になってしまう装飾用のパーツのイメージ画像についてどのように扱うかは、予めデフォルトで定められていてもよいし、ユーザが自由に設定（例えば、所定の設定値を何ｍｍとするか、所定の設定値以下になる場合に印刷するか否か等を設定）できるようにしてもよい。
【００３４】
図１０（ｃ）は、図８に示すネイルデザインＡについて、「位置目安＋サイズ印刷モード」による印刷が選択された場合に、印刷データ生成部５１３によって生成される印刷データの例と、当該印刷データに基づいて爪Ｔに印刷が施された例を示している。図１０（ｃ）に示すように、「位置目安＋サイズ印刷モード」の場合には、印刷データ生成部５１３は、ネイルデザインの画像データＮＤのうち、ベースデザインデータｄ２、パーツ位置データｄ３、パーツサイズデータｄ１−１、パーツ色データｄ４−１を抽出し、これらを重ね合わせて印刷データを生成する。
なお、本実施形態では、パーツ位置データｄ３における各パーツの位置を示す点や数字は、パーツデザインデータｄ４に含まれる個々の装飾用のパーツを示すイメージ画像の中心位置と一致している。また、本実施形態において、各点の大きさ、各数字の大きさは、もともとの装飾用のパーツの大きさに応じて、大きなパーツであれば大きく、小さなパーツであれば小さくなっている。なお、貼り付けが予定される装飾用のパーツがもともと小さいものである場合には、当該パーツに対応する点や数字を、大きな装飾用のパーツを示す点や数字と同じ縮小率で一律に縮小してしまうと、点や数字の視認性が確保できなくなるため、最小で何ｍｍまで縮小可とするかの所定の設定値を予め定めておき、縮小するとそれ以下の大きさになってしまうものは一律にこの所定の設定値で印刷するようにする。また、縮小すると所定の設定値以下になってしまうものについては何も印刷しないようにしてもよい。または、貼り付けが予定される装飾用のパーツのサイズ（面積、径、その他の大きさを示す値）が所定の数値以下の場合は、縮小せずに予め定められた大きさのまま印刷するようにしてもよい。縮小すると所定の設定値以下になってしまう装飾用のパーツの点や数字についてどのように扱うかは、予めデフォルトで定められていてもよいし、ユーザが自由に設定（例えば、所定の設定値を何ｍｍとするか、所定の設定値以下になる場合に印刷するか否か等を設定）できるようにしてもよい。
【００３５】
図１０（ｄ）は、図８に示すネイルデザインＡについて、「位置目安印刷モード」による印刷が選択された場合に、印刷データ生成部５１３によって生成される印刷データの例と、当該印刷データに基づいて爪Ｔに印刷が施された例を示している。図１０（ｄ）に示すように、「位置目安印刷モード」の場合には、印刷データ生成部５１３は、ネイルデザインの画像データＮＤのうち、ベースデザインデータｄ２、パーツ位置データｄ３、パーツ色データｄ４−１を抽出し、これらを重ね合わせて印刷データを生成する。
なお、この場合も、パーツ位置データｄ３における各パーツの位置を示す点は、パーツデザインデータｄ４に含まれる個々の装飾用のパーツを示すイメージ画像の中心位置と一致している。また、本実施形態において、各点の大きさは、もともとの装飾用のパーツの大きさに応じて、大きなパーツであれば大きく、小さなパーツであれば小さくなっている。なお、貼り付けが予定される装飾用のパーツがもともと小さいものである場合には、当該パーツに対応する点を、大きな装飾用のパーツを示す点と同じ縮小率で一律に縮小してしまうと、点の視認性が確保できなくなるため、最小で何ｍｍまで縮小可とするかの所定の設定値を予め定めておき、縮小するとそれ以下の大きさになってしまうものは一律にこの所定の設定値で印刷するようにする。また、縮小すると所定の設定値以下になってしまうものについては何も印刷しないようにしてもよい。縮小すると所定の設定値以下になってしまう装飾用のパーツの点についてどのように扱うかは、予めデフォルトで定められていてもよいし、ユーザが自由に設定（例えば、所定の設定値を何ｍｍとするか、所定の設定値以下になる場合に印刷するか否か等を設定）できるようにしてもよい。
【００３６】
さらに、本実施形態において、「貼り付け目安モード」（すなわち、「パーツ縮小印刷モード」「位置目安＋サイズ印刷モード」「位置目安印刷モード」のうちのいずれか）が選択されたときには、印刷データ生成部５１３は、デフォルトで定められた内容又はユーザが操作部１２等を操作することによって選択された内容にしたがって、パーツを示す部分の色を設定するようになっている。
パーツを示す部分の色としては、できるだけ貼り付けが予定されているパーツの色と同様、又はそれに近い、比較的目立つ色や、これとは逆に、当該ネイルデザインのベースカラーや爪Ｔの地の色に近い、できるだけ目立たない色等を選択できるようになっている。
「貼り付け目安モード」は、装飾用のパーツを貼り付けることを前提としたモードであり、パーツの貼り付け作業のしやすさや、貼り付けたパーツが剥がれ落ちてしまったときに印刷されている絵柄自体を模様として成立させたいか否か等、ユーザ毎にニーズが異なる。このため、パーツを示す部分の色を選択可能とすることで、各種のニーズに応えることができる。
なお、パーツを示す部分の色の選択は、具体的な色をユーザに選択させるようにしてもよいし、目立つ色（例えば、貼り付けが予定されているパーツの色に近い色）か、目立たない色（例えば、ベースカラー等の地の色に近い色）のうちのいずれか１つを選択させるようにしてもよい。
パーツを示す部分について具体的な色が選択された場合には、印刷データ生成部５１３は、当該選択された色を当該パーツを示す部分の色として設定する。
また、例えば、目立つ色が選択された場合には、パーツ色データｄ４−１における色を当該パーツを示す部分の色として設定する。これにより、「パーツ縮小印刷モード」であれば、例えば、赤色や銀色のラインストーン等の画像を縮小した画像等、各パーツを表す画像が、また、「位置目安＋サイズ印刷モード」や「位置目安印刷モード」であれば、例えば、赤色や銀色の点や数字等が、当該パーツに対応する画像として、印刷ヘッド４６により、爪Ｔにおけるパーツの配置予定位置に、当該パーツの色と同様の色で印刷される。
他方、目立たない色が選択された場合には、印刷データ生成部５１３は、例えば、パーツ色データｄ４−１における色とベースデザインデータｄ２における色の中間色やベースデザインデータｄ２における色を所定の色調に変換した色等、予め設定されたルールにしたがって、パーツを示す部分の色を設定する。
【００３７】
また、印刷データ生成部５１３は、爪情報検出部５１２により検出された爪情報に基づいて、印刷ヘッド４６により印刷指Ｕ１の爪Ｔに施される印刷の印刷データを生成する。
具体的には、印刷データ生成部５１３は、爪情報検出部５１２により検出された爪形状に基づいてネイルデザインの画像データＮＤを適宜縮小する等の合せ込み処理を行う。
合せ込み処理の具体的な手法は、特に限定されないが、例えば、印刷対象である爪Ｔの縦横の長さのうち、長さの短い方を基準として、ネイルデザインが爪Ｔからはみ出さない大きさまでネイルデザインの画像データＮＤを縮小することにより、爪Ｔに合わせ込み、印刷データを生成する。
【００３８】
表示制御部５１４は、表示部１３を制御して、各種の表示画面を表示させるものである。
本実施形態では、表示制御部５１４は、例えば、印刷指Ｕ１を撮影して得られた指画像や、この指画像中に含まれる爪画像（爪Ｔの輪郭線等の画像）、爪Ｔに印刷すべき画像（すなわち、図８等における「ネイルデザイン」）を選択するためのデザイン選択画面、デザイン確認用のサムネイル画像、各種の指示を表示させる指示画面等を表示部１３に表示させるようになっている。
【００３９】
印刷制御部５１５は、印刷データ生成部５１３によって生成されたネイルデザインの印刷データを印刷部４０の印刷ヘッド４６に出力し、この印刷データにしたがって印刷ヘッド４６により爪Ｔに印刷が施されるように印刷部４０を制御するものである。
例えば、「通常モード」で印刷が行われる場合には、図１０（ａ）の左側に示すようなデータが、印刷制御部５１５を介して印刷ヘッド４６に送られ、図１０（ａ）の矢印の右側に示すように、ネイルデザインの完成イメージと同様の画像が、爪Ｔの表面に印刷される。
また、例えば、「貼り付け目安モード」のうちの「パーツ縮小印刷モード」で印刷が行われる場合には、図１０（ｂ）の左側に示すようなデータが、印刷制御部５１５を介して印刷ヘッド４６に送られ、図１０（ｂ）の矢印の右側に示すように、ベースカラー及び縮小されたパーツを示す画像が、爪Ｔの表面に印刷される。
また、例えば、「貼り付け目安モード」のうちの「位置目安＋サイズ印刷モード」で印刷が行われる場合には、図１０（ｃ）の左側に示すようなデータが、印刷制御部５１５を介して印刷ヘッド４６に送られ、図１０（ｃ）の矢印の右側に示すように、ベースカラーの上に、パーツの位置を示す点及びパーツのサイズを示す数字が重畳された画像が、爪Ｔの表面に印刷される。
また、例えば、「貼り付け目安モード」のうちの「位置目安印刷モード」で印刷が行われる場合には、図１０（ｄ）の左側に示すようなデータが、印刷制御部５１５を介して印刷ヘッド４６に送られ、図１０（ｄ）の矢印の右側に示すように、ベースカラーの上にパーツの位置を示す点が重畳された画像が、爪Ｔの表面に印刷される。
【００４０】
次に、図９から図１１を参照しつつ、本実施形態におけるネイルプリント装置１による印刷方法について説明する。
【００４１】
このネイルプリント装置１により印刷を行う場合、ユーザはまず、電源スイッチを入れて制御装置５０を起動させる。
ユーザが印刷指Ｕ１を印刷指挿入部２０ａに挿入すると、撮影制御部５１１が撮影部３０を制御して印刷指Ｕ１の爪Ｔを撮影して爪画像を取得する。爪画像が取得されると、爪情報検出部５１２は、当該爪画像から、爪情報として爪形状（爪Ｔの輪郭）を検出する。
また、表示制御部５１４は、表示部１３にデザイン選択画面を表示させ、ユーザは操作部１２の操作釦１２１等を操作して、デザイン選択画面に表示された複数のネイルデザインの中から所望のネイルデザインを選択することにより、操作部１２から選択指示信号が出力されて、図９に示すように、一つのネイルデザインが決定される（ステップＳ１）。
印刷すべきネイルデザインが決定されると、次に、表示制御部５１４は、表示部１３に印刷モード選択画面を表示させ（ステップＳ２）、ユーザは操作部１２の操作釦１２１等を操作して、印刷モード選択画面に表示された複数の印刷モードの中から所望の印刷モードを選択することにより、操作部１２から選択指示信号が出力されて、印刷モードが決定される。
【００４２】
具体的には、制御部５１は、印刷モードとして「通常モード」が選択されたか否かを判断し（ステップＳ３）、「通常モード」が選択されたと判断した場合（ステップＳ３；ＹＥＳ）には、印刷データ生成部５１３は、ネイルデザインの画像データＮＤのうち、ベースデザインデータｄ２、パーツ位置データｄ３、パーツデザインデータｄ４を抽出する（図１０（ａ）参照）。さらに印刷データ生成部５１３は、これらのデータを爪情報検出部５１２によって検出された爪形状（爪Ｔの輪郭）に合わせ込むことで印刷データを生成する。
印刷データ生成部５１３により生成された印刷データは、印刷制御部５１５を介して印刷ヘッド４６に送られ、当該印刷データに基づいて、図１０（ａ）の右側に示す図のように、完成イメージそのままの画像が爪Ｔに印刷される（ステップＳ４）。
【００４３】
また、制御部５１は、印刷モードとして「通常モード」が選択されていないと判断した場合（ステップＳ３；ＮＯ）には、さらに、印刷モードとして「貼り付け目安モード」の「パーツ縮小モード」が選択されたか否かを判断し（ステップＳ５）、「パーツ縮小モード」が選択されたと判断した場合（ステップＳ５；ＹＥＳ）には、印刷データ生成部５１３は、ネイルデザインの画像データＮＤのうち、ベースデザインデータｄ２、パーツ位置データｄ３、パーツデザインデータｄ４を抽出し（図１０（ｂ）参照）、このうち、パーツデザインデータｄ４に含まれる個々の装飾用のパーツを示すイメージ画像について、元々のパーツの中心位置を動かさずに、それぞれその径のみを縮小する。さらに印刷データ生成部５１３は、各パーツの色を設定する（ステップＳ６）。そして、これらベースデザインデータｄ２、パーツ位置データｄ３、パーツデザインデータｄ４を爪情報検出部５１２によって検出された爪形状（爪Ｔの輪郭）に合わせ込むことで印刷データを生成する。
印刷データ生成部５１３により生成された印刷データは、印刷制御部５１５を介して印刷ヘッド４６に送られ、当該印刷データに基づいて、図１０（ｂ）の右側に示す図のように、完成イメージの画像のうち、装飾用のパーツのみが縮小された画像が爪Ｔに印刷される（ステップＳ７）。
【００４４】
また、制御部５１は、印刷モードとして「貼り付け目安モード」の「パーツ縮小モード」が選択されていないと判断した場合（ステップＳ５；ＮＯ）には、さらに、印刷モードとして「位置目安＋サイズ印刷モード」が選択されたか否かを判断し（ステップＳ８）、「位置目安＋サイズ印刷モード」が選択されたと判断した場合（ステップＳ８；ＹＥＳ）には、印刷データ生成部５１３は、ネイルデザインの画像データＮＤのうち、ベースデザインデータｄ２、パーツ位置データｄ３、パーツサイズデータｄ１−１、パーツ色データｄ４−１を抽出し、さらに印刷データ生成部５１３は、各パーツの色を設定する（ステップＳ９）。そして、これらベースデザインデータｄ２、パーツ位置データｄ３、パーツサイズデータｄ１−１、パーツ色データｄ４−１を重ね合わせ（図１０（ｃ）参照）、これを爪情報検出部５１２によって検出された爪形状（爪Ｔの輪郭）に合わせ込むことで印刷データを生成する。
印刷データ生成部５１３により生成された印刷データは、印刷制御部５１５を介して印刷ヘッド４６に送られ、当該印刷データに基づいて、図１０（ｃ）の右側に示す図のように、パーツの貼り付けの際の位置目安としての点（本実施形態では、各パーツの色に対応した色の点）とサイズ情報としての数字が爪Ｔに印刷される（ステップＳ１０）。
【００４５】
また、制御部５１は、印刷モードとして「貼り付け目安モード」の「位置目安＋サイズ印刷モード」が選択されていないと判断した場合（ステップＳ８；ＮＯ）には、さらに、印刷モードとして「位置目安印刷モード」が選択されたか否かを判断し（ステップＳ１１）、「位置目安印刷モード」が選択されていないと判断した場合（ステップＳ１１；ＮＯ）には、ステップＳ３に戻って判断を繰り返す。他方、「位置目安印刷モード」が選択されたと判断した場合（ステップＳ１１；ＹＥＳ）には、印刷データ生成部５１３は、ネイルデザインの画像データＮＤのうち、ベースデザインデータｄ２、パーツ位置データｄ３、パーツ色データｄ４−１を抽出し、さらに印刷データ生成部５１３は、各パーツの色を設定する（ステップＳ１２）。そして、これらベースデザインデータｄ２、パーツ位置データｄ３、パーツ色データｄ４−１を重ね合わせ（図１０（ｄ）参照）、これを爪情報検出部５１２によって検出された爪形状（爪Ｔの輪郭）に合わせ込むことで印刷データを生成する。
印刷データ生成部５１３により生成された印刷データは、印刷制御部５１５を介して印刷ヘッド４６に送られ、当該印刷データに基づいて、図１０（ｄ）の右側に示す図のように、パーツの貼り付けの際の位置目安としての点（本実施形態では、各パーツの色に対応した色の点）のみが爪Ｔに印刷される（ステップＳ１３）。
印刷処理が完了すると、ユーザは、ネイルプリント装置１から印刷指Ｕ１を抜き取り、印刷された貼り付け位置目安にしたがって、装飾用のパーツを爪Ｔの上に貼り付け、ネイルデザインを完成させる。
【００４６】
図１１（ａ）は、ネイルデザインとして図８に示すネイルデザインＡが選択され、印刷モードとして「位置目安印刷モード」が選択された場合の爪Ｔへの印刷例を示す図である。
この場合、爪Ｔには、装飾用のパーツの貼り付けの位置目安が、各パーツの色に対応した各色の点（例えば、赤色のパーツを貼り付ける位置には赤色の点、銀色のパーツを貼り付ける位置には銀色の点等）として印刷される。
図１１（ｂ）は、印刷された位置目安にしたがって、装飾用のパーツが爪Ｔの上に貼り付けられた状態を示す図である。図１１（ｂ）に示すように、図中一番右側と左から二番目の点の部分には、同じ色（例えば、赤色）の装飾用のパーツが貼り付けられ、図中右から二番目、四番目、六番目の点の部分には、これ（例えば、赤色）とは異なる同じ色（例えば、銀色）の装飾用のパーツが貼り付けられ、その他の点の部分には、前二者（例えば、赤色と銀色）とは異なる同じ色（例えば、金色）の装飾用のパーツが貼り付けられる。この印刷モードによる場合には、各パーツのサイズ情報（サイズを示す数字）は印刷されず、爪Ｔの上に印刷されている点からは各パーツのサイズを正確には判断できないため、ユーザは、写真等の完成見本を見ながら各パーツのサイズを選んで貼り付ける。また、ユーザ自身の好みでパーツのサイズを決め、アレンジして貼り付けてもよい。
図１１（ｃ）は、図１１（ｂ）に示されたパーツを貼り付けた後の爪Ｔを爪Ｔの先端側から見た図である。
図１１（ｂ）及び図１１（ｃ）に示すように、図中一番右側と左から二番目の点の部分には、例えば赤色のパーツｐ１、ｐ５が貼り付けられ、図中右から二番目、四番目、六番目の点の部分には、例えば銀色のパーツｐ２、ｐ３、ｐ４が貼り付けられ、それ以外の４つの点の部分には、例えば金色の小型のパーツｐ６が貼り付けられる。
【００４７】
なお、印刷モードの判断手順は、図９に示したものに限定されない。例えば、まず、「貼り付け目安モード」の３つのモードのうちのいずれかが選択されたかを判断し、いずれの「貼り付け目安モード」も選択されていない場合に、「通常モード」による印刷が選択されているかを判断してもよい。
【００４８】
以上のように、本実施形態のネイルプリント装置１によれば、印刷ヘッド４６により、爪Ｔの上に配置される装飾用のパーツの配置情報が印刷される。これにより、装飾用のパーツの貼り付け位置を爪Ｔの上で確認することができるため、見本等と見比べながら貼り付け作業を行う場合と比較して、誰でも容易に、デザイン的に最適な配置にパーツを貼り付けることができ、ラインストーン等の装飾用のパーツによるデコレーションを施したネイルアートを手軽に楽しむことができる。
また、爪情報検出部５１２により、爪画像に基づいて、爪情報として爪の形状、爪の位置、爪の曲率のうち、少なくともいずれか１つ（本実施形態では、爪形状）を検出するため、ユーザの爪Ｔに合わせて印刷することができ、塗り残しやはみ出しのないきれいな印刷を実現することができる。
また、本実施形態では、爪Ｔに印刷されるパーツの配置情報は、パーツの位置情報の他、パーツのサイズ情報及びパーツの色情報のうち少なくともいずれか１つを含んでいる。このため、爪Ｔに印刷された配置情報を見るだけで、どのような種類（大きさや色）のパーツをどこに貼り付ければよいかが容易に分かり、見本と見比べたりする手間が無く、簡易に装飾用のパーツによるデコレーションを施したネイルアートを楽しむことができる。
また、「通常モード」や「パーツ縮小印刷モード」等の場合において、爪Ｔにおけるパーツの配置予定位置に、当該パーツに対応する画像（例えば、「通常モード」や「パーツ縮小印刷モード」における各パーツを示す画像、「位置目安＋サイズ印刷モード」や「位置目安印刷モード」における各パーツの位置やサイズを示す点や数字）を当該パーツの色と同様の色で印刷することができる。このため、印刷後の爪Ｔを見るだけで貼り付けるパーツの色が分かり、見本等と見比べなくても適切なパーツを選ぶことができ、便宜である。
また、「通常モード」において各パーツを示す画像を当該パーツの色と同様の色で印刷した場合には、パーツを貼り付けなくても印刷された画像自体がネイルアートとして成立し得るため、手軽におしゃれを楽しむことができる。
さらに、本実施形態では、「貼り付け目安モード」である「パーツ縮小印刷モード」、「位置目安＋サイズ印刷モード」、「位置目安印刷モード」においては、張り付けられるパーツよりも小さいサイズで当該パーツに対応する画像が印刷されるため、パーツを貼り付ける際に、多少のずれがあっても、爪Ｔに印刷された画像がパーツの下からはみ出さず、美しく仕上げることができる。また、このように貼り付け位置が多少ずれても、爪Ｔに印刷された画像がパーツの下からはみ出さないため、ユーザの好みに合わせて多少のアレンジを加える（パーツの貼り付け位置を調整する）ことができる。
また、「位置目安＋サイズ印刷モード」を選択した場合には、「通常モード」や「パーツ縮小印刷モード」に比べてインクを節約できるとともに、どの大きさのパーツを貼り付ければよいかが明確に分かり、元の見本資料等を見ながらでなくてもプロのデザインを忠実に再現することができる。
また、「位置目安印刷モード」を選択した場合には、「通常モード」や「パーツ縮小印刷モード」に比べてインクを節約できるとともに、爪Ｔの上に印刷されるものが少ないために、パーツの貼り付け作業の際に見やすく、作業しやすい。
【００４９】
なお、以上本発明の実施形態について説明したが、本発明は、かかる実施形態に限定されず、その要旨を逸脱しない範囲で、種々変形が可能であることは言うまでもない。
【００５０】
例えば、本実施形態では、装飾用のパーツの位置情報を示すパーツ位置データｄ３が、爪Ｔがｘ，ｙ平面上に載置された場合における各装飾用のパーツのｘ，ｙ平面上の位置を特定するｘ，ｙの二次元座標で構成されている場合を例としたが、パーツ位置データｄ３の構成は、これに限定されない。
例えば、パーツ位置データｄ３が、高さ方向に重畳されるパーツについての情報を含んでいてもよい。
この場合には、例えば、図１２（ａ）に示すように、パーツ位置データｄ３にしたがってパーツの三次元的な貼り付け位置が爪Ｔの上に印刷される。このため、図１２（ｂ）に示すように、印刷されたパーツの貼り付け目安にしたがって、爪Ｔの右端に、まずサイズ１２の赤色のパーツであるパーツｐ１を貼り付け、その上に、サイズ５の銀色のパーツであるパーツｐ３を貼り付け、さらにその上に、金色の小型のパーツであるパーツｐ６を貼り付ける、というように、対応するパーツを所定の位置に貼り付けることにより、図１２（ｃ）に示すような、高さ方向に複数のパーツが重畳された立体的なネイルデザインを実現することができる。
【００５１】
また、本実施形態では、「貼り付け目安モード」（すなわち、「パーツ縮小印刷モード」「位置目安＋サイズ印刷モード」「位置目安印刷モード」のうちのいずれか）が選択された場合に、パーツ色データｄ４−１に基づいて設定された色によりパーツ対応部分の印刷が行われる例を示したが、「貼り付け目安モード」の場合に、パーツ対応部分に各パーツに対応した色を付すことは必須ではなく、例えば、ベースカラーと区別可能な何らかの色（一色又は複数色）で、パーツ対応部分に、パーツの貼り付け目安となる点や数字、画像等を印刷してもよい。
【００５２】
また、本実施形態では、「通常モード」の他、「貼り付け目安モード」として「パーツ縮小印刷モード」「位置目安＋サイズ印刷モード」「位置目安印刷モード」の３種類の印刷モードが選択可能となっている場合を例として説明したが、選択可能な印刷モードはここに例示したものに限定されない。これら全ての印刷モードが選択できなくてもよいし、これら以外に選択できる印刷モードがあってもよい。
【００５３】
また、本実施形態では、「位置目安＋サイズ印刷モード」の場合には、パーツの色と位置を示す点と、パーツのサイズを示す数字を重畳して印刷するものとしたが、「位置目安＋サイズ印刷モード」において印刷される内容はこれに限定されず、例えば、パーツの位置情報を示す点の大きさをパーツのサイズ情報に応じて変えることにより、パーツの位置と大きさを点だけで表現するようにしてもよい。この場合、パーツの色情報に応じて点の色を変えることで、パーツの色についても点で表現することができる。
また、パーツの位置情報に対応した位置に各パーツのサイズを示す数字を配置することで、パーツの位置と大きさを数字だけで表現するようにしてもよい。この場合、パーツの色情報に応じて数字の色を変えることで、パーツの色についても数字で表現することができる。
このように、パーツの位置とサイズとを点のみ又は数字のみで表現した場合には、爪Ｔ上で点と数字とが重なり合わないため、パーツの貼り付け作業をする際に見やすいという効果がある。
また、印刷する情報量が少ないため、使用するインク量も少なくて済むとの効果もある。
【００５４】
さらに、「位置目安＋サイズ印刷モード」の場合に、サイズ情報を示す数字の大きさをサイズ情報に応じて変えてもよい。このようにすることで、より視覚的にパーツのサイズの大小が把握できるようになる。この場合、前述のように、パーツの位置を示す点を印刷せずに、パーツの位置と大きさを数字だけで表現するようにしてもよい。
【００５５】
また、本実施形態では、ネイルデザイン記憶領域５２２に記憶されているネイルデザインの画像データＮＤが、完成イメージデータｄ１、ベースデザインデータｄ２、パーツ位置データｄ３、パーツデザインデータｄ４を含んでいる場合を例として説明したが、ネイルデザインの画像データＮＤの構成は、ここに示したものに限定されない。
例えば、完成イメージデータｄ１を持たず、ベースデザインデータｄ２、パーツ位置データｄ３、パーツデザインデータｄ４のみでネイルデザインの画像データＮＤが構成されていてもよい。この場合には、表示部１３にデザイン選択画面を表示させたり、確認用のサムネイル画像を表示させる際には、ベースデザインデータｄ２、パーツ位置データｄ３、パーツデザインデータｄ４を重ね合わせて、表示用のデータを生成して表示を行う。
また、本実施形態では、完成イメージデータｄ１に、パーツのサイズ情報であるパーツサイズデータｄ１−１が含まれている場合を例としたが、パーツサイズデータｄ１−１は、パーツデザインデータｄ４等に含まれていてもよい。
また、本実施形態では、パーツデザインデータｄ４に、パーツの色情報であるパーツ色データｄ４−１が含まれている場合を例としたが、パーツサイズデータｄ１−１は、完成イメージデータｄ１等に含まれていてもよい。
さらに、本実施形態では、パーツ位置データｄ３、パーツデザインデータｄ４を別個に持っている場合を例示したが、パーツに関するデータとして、パーツの位置情報、パーツのサイズ情報、パーツの色情報等が、１つのデータとして構成されていてもよい。
【００５６】
また、本実施形態では、１つのネイルデザインについて、それぞれネイルデザインの画像データＮＤとして、完成イメージデータｄ１、ベースデザインデータｄ２、パーツ位置データｄ３、パーツデザインデータｄ４が関連付けられてネイルデザイン記憶領域５２２に記憶されている例を示したが、ネイルデザインの画像データＮＤはこれに限定されない。
例えば、複数のベースデザインデータｄ２、パーツ位置データｄ３、パーツデザインデータｄ４をそれぞればらばらにネイルデザイン記憶領域５２２に記憶させておき、ユーザが自由に選んで組み合わせることができるようにしてもよい。また、デフォルトの組み合せパターンを記憶させておき、ユーザが組合せを選択しないときは、当該デフォルトの組合せで印刷が行われるようにしてもよい。
【００５７】
また、本実施形態では、爪画像記憶領域５２１、ネイルデザイン記憶領域５２２が制御装置５０の記憶部５２内に設けられている場合を例としたが、爪画像記憶領域５２１、ネイルデザイン記憶領域５２２は制御装置５０の記憶部５２に設けられている場合に限定されず、別途記憶部が設けられていてもよい。
【００５８】
また、本実施形態では、４本の指に対して同時に印刷を行うことのできるネイルプリント装置１を例としたが、指を１本ずつ装置に挿入して順次印刷を行う装置に本発明を適用することも可能である。
【００５９】
その他、本発明が本実施形態に限定されず、適宜変更可能であることはいうまでもない。
【００６０】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
指の爪に印刷を施す印刷ヘッドと、
前記印刷ヘッドにより、前記爪の上に配置される装飾用のパーツの配置情報を印刷させる印刷制御部と、
を備えていることを特徴とするネイルプリント装置。
＜請求項２＞
前記指の爪を撮影して爪画像を得る撮像装置と、
前記撮像装置によって取得された前記爪画像に基づいて、爪の形状、爪の位置、爪の曲率のうち、少なくともいずれか１つを爪情報として検出する爪情報検出部と、
をさらに備え、
前記印刷制御部は、前記爪情報検出部により検出された前記爪情報に基づいて、前記印刷ヘッドにより前記指の爪に印刷させることを特徴とする請求項１に記載のネイルプリント装置。
＜請求項３＞
前記パーツの配置情報は、前記パーツの位置情報の他、前記パーツのサイズ情報及び前記パーツの色情報のうち少なくともいずれか１つを含んでいることを特徴とする請求項１又は請求項２に記載のネイルプリント装置。
＜請求項４＞
前記印刷制御部は、前記印刷ヘッドにより、前記爪における前記パーツの配置予定位置に、前記パーツに対応する画像を前記パーツの色と同様の色で印刷させることができることを特徴とする請求項１から請求項３のいずれか一項に記載のネイルプリント装置。
＜請求項５＞
指の爪に印刷を施す印刷ヘッドにより、前記爪の上に配置される装飾用のパーツの配置情報を印刷させることを特徴とするネイルプリント装置の印刷方法。
＜請求項６＞
撮像装置により前記指の爪を撮影して爪画像を取得し、
前記爪画像に基づいて、爪の形状、爪の位置、爪の曲率のうち、少なくともいずれか１つを爪情報として検出し、
前記爪情報に基づいて、前記印刷ヘッドにより前記指の爪に印刷させることを特徴とする請求項５に記載のネイルプリント装置の印刷方法。
＜請求項７＞
前記パーツの配置情報は、前記パーツの位置情報の他、前記パーツのサイズ情報及び前記パーツの色情報のうち、少なくともいずれか１つを含んでいることを特徴とする請求項５又は請求項６に記載のネイルプリント装置の印刷方法。
＜請求項８＞
前記印刷ヘッドにより、前記爪における前記パーツの配置予定位置に、前記パーツに対応する画像を前記パーツの色と同様の色で印刷させることができることを特徴とする請求項５から請求項７のいずれか一項に記載のネイルプリント装置の印刷方法。
【符号の説明】
【００６１】
１      ネイルプリント装置
２      ケース本体
２０ａ  印刷指挿入部
３０    撮影部
４６    印刷ヘッド
５０    制御装置
５１    制御部
５２    記憶部
５１２  爪情報検出部
５１３  印刷データ生成部
５１５  印刷制御部
５２１  爪画像記憶領域
５２２  ネイルデザイン記憶領域
Ｔ      爪
Ｕ１    印刷指
Ｕ２    非印刷指
【図１】
2014117455.tif 000003
【図２】
2014117455.tif 000004
【図３】
2014117455.tif 000005
【図４】
2014117455.tif 000006
【図５】
2014117455.tif 000007
【図６】
2014117455.tif 000008
【図７】
2014117455.tif 000009
【図８】
2014117455.tif 000010
【図９】
2014117455.tif 000011
【図１０】
2014117455.tif 000012
【図１１】
2014117455.tif 000013
【図１２】
2014117455.tif 000014